(57)【要約】  電力変換装置の温度低減方法をユーザの環境に合わせて対応できる電力変換装置を提供することを目的とする。  上記目的を達成するために、電力変換装置の温度低減方法であって、複数の温度制御要素に対して縮退運転制御を行う優先度を設定し、電力変換装置の温度が温度異常判定値より高い場合、設定された優先度に従って最も優先度の高い温度制御要素の縮退運転制御を実行し、最も優先度の高い温度制御要素の制御量が最大値に達した場合、制御要素の制御量を最大値に保持したまま、次に優先度の高い温度制御要素の縮退運転制御を行うように構成する。
2017009913.tif 000002
【特許請求の範囲】
【請求項１】
電力変換装置の温度低減方法であって、
複数の温度制御要素に対して縮退運転制御を行う優先度を設定し、
前記電力変換装置の温度が温度異常判定値より高い場合、
前記設定された優先度に従って最も優先度の高い温度制御要素の縮退運転制御を実行し、前記最も優先度の高い温度制御要素の制御量が最大値に達した場合、前記制御要素の制御量を最大値に保持したまま、次に優先度の高い温度制御要素の縮退運転制御を行うことを特徴とする電力変換装置の温度低減方法。
【請求項２】
請求項１に記載の電力変換装置の温度低減方法であって、
前記複数の温度制御要素の制御量の最大値は、ユーザが設定可能であることを特徴とする電力変換装置の温度低減方法。
【請求項３】
請求項２に記載の電力変換装置の温度低減方法であって、
前記複数の温度制御要素の制御量の最大値は、前記複数の温度制御要素の制御量の変化範囲の設定値、または、前記複数の温度制御要素の制御量の変化範囲の最大値であることを特徴とする電力変換装置の温度低減方法。
【請求項４】
請求項１に記載の電力変換装置の温度低減方法であって、
前記縮退運転制御を行う温度制御要素の優先度をユーザが設定可能であることを特徴とする電力変換装置の温度低減方法。
【請求項５】
請求項１に記載の電力変換装置の温度低減方法であって、
前記複数の温度制御要素を前記最大値まで縮退運転制御した場合に、エラー保護を行うか、運転を継続させるかを選択設定可能であることを特徴とする電力変換装置の温度低減方法。
【請求項６】
電力変換装置であって、
交流電源の交流電力を直流電力に変換する順変換器と、
前記直流電力を平滑化する直流平滑回路と、
前記平滑化された直流電力を交流電力に逆変換する逆変換器と、
前記逆変換器を冷却する冷却部と、
前記逆変換器へＰＷＭ指令を出力し前記冷却部へ駆動電圧を出力する制御部と、
前記電力変換装置の温度を検出する温度検出部と、
複数の温度制御要素を縮退運転制御する縮退運転制御部と、
前記複数の温度制御要素の縮退運転制御を行う優先度を設定する操作部と、
を有し、
前記縮退運転制御部は、前記温度検出部が温度の異常を検出した場合に、前記設定された優先度に従って最も優先度の高い温度制御要素の縮退運転制御を実行し、前記最も優先度の高い温度制御要素の制御量が最大値に達した場合、前記制御要素の制御量を最大値に保持したまま、次に優先度の高い温度制御要素の縮退運転制御を行うことを特徴とする電力変換装置。
【請求項７】
請求項６に記載の電力変換装置であって、
前記複数の温度制御要素の制御量の最大値は、前記操作部で設定可能なことを特徴とする電力変換装置。
【請求項８】
請求項７に記載の電力変換装置であって、
前記複数の温度制御要素の制御量の最大値は、前記複数の温度制御要素の制御量の変化範囲の設定値、または、前記複数の温度制御要素の制御量の変化範囲の最大値であることを特徴とする電力変換装置。
【請求項９】
請求項６に記載の電力変換装置であって、
前記複数の温度制御要素を前記最大値まで縮退運転制御した場合に、エラー保護を行うか、運転を継続させるかを前記操作部で選択設定可能であることを特徴とする電力変換装置。
【請求項１０】
電力変換装置であって、
交流電源の交流電力を直流電力に変換する順変換器と、
前記直流電力を平滑化する直流平滑回路と、
前記平滑化された直流電力を交流電力に逆変換する逆変換器と、
前記逆変換器を冷却する冷却部と、
前記逆変換器へＰＷＭ指令を出力し前記冷却部へ駆動電圧を出力する制御部と、
前記電力変換装置の温度を検出する温度検出部と、
前記電力変換装置への各種設定を入力設定可能な操作部と、
を有し、
前記操作部は、温度制御要素の項目入力画面と、該温度制御要素の縮退運転制御の優先度の入力設定画面を有することを特徴とする電力変換装置。
【請求項１１】
請求項１０に記載の電力変換装置であって、
前記操作部は、前記温度制御要素の制御量最大値の入力設定画面を有することを特徴とする電力変換装置。
【請求項１２】
請求項１０に記載の電力変換装置であって、
前記操作部は、温度異常時のエラー保護を行うか否かの入力設定画面を有することを特徴とする電力変換装置。
【発明の詳細な説明】
【技術分野】
【０００１】
本発明は、電力変換装置に係り、特にその温度低減方法に関する。
【背景技術】
【０００２】
本技術分野の背景技術として、特開平９−１２１５９５号公報（特許文献１）がある。特許文献１には、「インバータ主回路のスイッチング素子の温度が高くなっても、トルク低下をさせることなく温度保護を図る。」ことを課題とし、「 トルク指令τの上限をトルクリミット値で制限してリミットトルク指令τＬを得、リミットトルク指令τL から三相制御電圧指令Ｖを得、三相制御電圧指令Ｖとキャリア信号ＣＨまたはＣＬとでＰＷＭして変調指令Ｐを得る。この変調指令Ｐによりインバータ主回路４のスイッチング素子をオン・オフして等価三相電流Ｉを得て、これをモーター６に送る。スイッチング素子の検出温度Ｔが上昇すると、まず、高周波なキャリアＣＨから低周波なキャリア信号ＣＬに切り換え、これでも温度上昇するときには、トルクリミット値を小さくしてリミットトルク指令τＬ を小さくする。」解決手段が記載されている。
【先行技術文献】
【特許文献】
【０００３】
【特許文献１】特開平９−１２１５９５号公報
【発明の概要】
【発明が解決しようとする課題】
【０００４】
前記特許文献には、基準温度を越えたときにキャリア周波数を優先して低減させ、これでも温度上昇するときには、トルクリミット値を小さくするという一連の条件が記載されており、温度低減・保護のための制御要素の実行順番が固定されている。しかし、この方法ではキャリア周波数を低減したくない場合には対応できない。キャリア周波数を低減させるのは、損失を低減させる効果をもたらす一方で、騒音を増大させる問題があり、これは静音性を重要視する装置や環境によっては許されず、必ずしも優先的に低減させたい温度制御要素ではない。また、温度保護のための一般的な制御方法では、例えば、検出温度に応じて冷却ファンの風量を制御して放熱させる方法や、例えば、検出温度に応じてインバータの電流制限値をゼロよりも大きい所定値に低下させることによる温度保護の方法等の温度制御要素が用いられる。しかし、それぞれ単体の方法では電力変換装置の温度低減が不十分な場合がある。また複数の方法を同時に実行すると、機能制限が過度となる場合があり、ユーザそれぞれのシステムにおいて優先度が高い機能を阻害してしまう場合がある。【０００５】
そこで、本発明では、上記課題を解決するため、個々の方法である温度制御要素をユーザの環境に合わせて対応できるような電力変換装置を提供する。
【課題を解決するための手段】
【０００６】
上記課題を解決するために、本発明は例えば請求の範囲に記載の構成を採用する。本願は上記課題を解決する構成要素を複数含んでいるが、その一例をあげるならば、電力変換装置の温度低減方法であって、複数の温度制御要素に対して縮退運転制御を行う優先度を設定し、電力変換装置の温度が温度異常判定値より高い場合、設定された優先度に従って最も優先度の高い温度制御要素の縮退運転制御を実行し、最も優先度の高い温度制御要素の制御量が最大値に達した場合、制御要素の制御量を最大値に保持したまま、次に優先度の高い温度制御要素の縮退運転制御を行うように構成する。
【発明の効果】
【０００７】
本発明によれば、損失に影響を与える温度制御要素を効果的に制御することにより、ユーザシステムの機能を可能な限り持続させる方法を提供することができる。
【図面の簡単な説明】
【０００８】
【図１】実施例１における電力変換装置と交流電動機のシステム構成図である。
【図２】実施例１における温度制御要素の優先度の設定例を示す図である。
【図３】実施例１における温度異常時の縮退運転制御のフローチャートである。
【図４】実施例１における温度異常が検出された場合の縮退運転制御のタイムチャートである。
【図５】実施例１における温度異常が解除された場合の縮退運転制御のタイムチャートである。
【図６】実施例２における電力変換装置の操作部での、温度制御要素の縮退運転制御の優先度の入力設定画面である。
【図７】実施例２における電力変換装置の操作部での、温度制御要素の設定としての、縮退運転制御の制御量最大値設定画面である。
【図８】実施例３における電力変換装置の操作部での、温度異常時のエラー保護を行うか否かの入力設定画面である。
【発明を実施するための形態】
【０００９】
以下、本発明の実施例を図面を用いて説明する。
【実施例１】
【００１０】
本実施例では、電力変換装置１００が組み込まれたシステムの動作例を説明する。【００１１】
図１は、本実施例における電力変換装置１００と交流電動機１０５のシステム構成図である。図１において、電力変換装置１００は、直流変換部１０２、直流平滑部１０３、交流変換部１０４、電流検出部１０６、温度検出部１０７、冷却ファン１０８、制御部１１１、縮退運転制御部１１２、操作部１１３を有する。なお、各構成部間の信号線は、実際には図示しているよりも複雑となるが、簡単のために、本実施例に関連する部分のみに信号線を記入し、他は省略している。【００１２】
三相交流電源１０１は、例えば電力会社から供給される三相交流電圧や発電機から供給される交流電圧であり、直流変換部１０２に出力する。【００１３】
直流変換部１０２は、例えばダイオードで構成された直流変換回路やＩＧＢＴとフライホイールダイオードを用いた直流変換回路で構成され、三相交流電源１０１から入力された交流電圧を、直流電圧に変換し、平滑コンデンサ１０３に出力する。図１では、ダイオードで構成された直流変換部を示している。【００１４】
平滑コンデンサ１０３は、直流変換部１０２から入力された直流電圧を平滑化し、交流変換部１０４に直流電圧を出力する。例えば発電機の出力が直流電圧の場合、平滑コンデンサ１０３は、直流変換部１０２を介さず、直接発電機から直流電圧を入力されても構わない。【００１５】
交流変換部１０４は、例えばＩＧＢＴとフライホイールダイオードを用いた交流変換回路で構成され、平滑コンデンサ１０３の直流電圧と、制御部１１１のＰＷＭ指令を入力とし、直流電圧を交流電圧に変換し、交流電動機１０５に出力する。【００１６】
電流検出部１０６は、交流電動機１０５に流れる電流を検出し、検出した電流情報として制御部１１１と縮退運転制御部１１２へ出力する。【００１７】
温度検出部１０７は、例えばＩＧＢＴやダイオードなどの半導体素子の温度を検出し、温度信号として縮退運転制御部１１２へ出力する。【００１８】
冷却ファン１０８は、制御部１１１からの駆動電圧を入力とし、回転数情報を縮退運転制御部１１２へ出力する。【００１９】
制御部１１１は、電流検出部１０６からの電流情報、縮退運転制御部１１２からの縮退運転制御対象となる温度制御要素、前記温度制御要素の制御量を入力とし、ＰＷＭ指令を交流変換部１０４へ、駆動電圧を冷却ファン１０８へ出力する。【００２０】
縮退運転制御部１１２は、電流検出部１０６の電流情報、温度検出部１０７の温度信号、冷却ファン１０８からの回転数情報、制御部１１１からのキャリア周波数、交流電動機１０５への出力周波数、操作部１１３が出力した温度制御要素の優先度、制御量の最大値と各温度制御要素の縮退制御の選択設定を入力とし、縮退運転制御対象となる温度制御要素と、その温度制御要素の制御量を制御部１１１へ出力する。なお、縮退運転とは、パフォーマンスを落として安全な状態で運転を行うことを言う。また、縮退運転制御部１１２への設定は、例えば電力変換装置に接続されたＰＣとの通信によって設定されてもよい。【００２１】
操作部１１３は、例えば、電力変換装置１００に搭載されている操作パネルであり、縮退運転制御の温度制御要素の優先度、前記温度制御要素の制御量の最大値または選択設定を縮退運転制御部１１２へ出力する。なお、操作部１１３は、ＰＬＣ（プログラマブル・ロジック・コントローラ）やＰＣ、タブレット等の外部機器でも良い。【００２２】
図２は、例えば３つの温度制御要素がある場合の優先度の設定例を示したものである。本実施例では、ユーザが、ユーザの要求度が高い、すなわち最後まで動作してほしい温度制御要素を高い数値の優先度に設定する。なお、優先度の付け方は、例えば、ユーザの要求度が低い要素を高い数値に優先度設定してもよい。また、優先度の同じものを複数設定することで、複数の温度制御要素の縮退運転制御を平行して実行しても良い。また、ユーザが、縮退運転制御をしてほしくない場合は、優先度を設定しないことにより、縮退運転制御を動作させない。【００２３】
図２に示すように、本実施例では、縮退運転制御部１１２は、温度の異常が検知された場合、要素Ｃ、要素Ｂ、要素Ａの順番でそれぞれの温度制御要素に対する縮退運転制御を実行する。実行順番として、要素Ｃ、Ｂ、Ａを、それぞれ、縮退運転制御１，２，３とする。本実施例では、要素Ｃをキャリア周波数、要素Ｂを冷却ファン回転数、要素Ａを出力周波数として説明する。また、本実施例では、図２に示すように、要素Ｄは、縮退運転制御をしない設定としており、ユーザが設定した動作で常に動作し続ける。例えば、要素Ｄが、出力電流値の制限値である場合、縮退運転制御をしないので、ユーザが設定した出力電流値の制限値で常に動作し続ける。【００２４】
図３は、縮退運転制御部１１２が図２で設定した３つの温度制御要素で縮退運転制御を行なう場合に、温度異常が検出された場合のフローチャートの例を示したものである。【００２５】
縮退運転制御部１１２は、温度異常が検出される前は、いずれの縮退運転制御も実行しておらず、温度異常が検出された場合、縮退運転制御３、すなわち、要素Ａは未実行であり（Ｓ３０１）、また縮退運転制御２も未実行である（Ｓ３０２）から、縮退運転制御１、すなわち要素Ｃとして設定したキャリア周波数制御について実行する（Ｓ３０３）。縮退運転制御部１１２は、例えば、キャリア周波数が１５ｋＨｚで設定されている場合、キャリア周波数の低減を開始する。縮退運転制御部１１２は、温度異常が解除されない場合、例えばユーザが可聴域として感度が高くなる制限値として設定された最大制御量の５ｋＨｚまで低減させる。【００２６】
縮退運転制御部１１２は、縮退運転制御１のキャリア周波数制御量が最大値でないことを判断する（Ｓ３０４）。縮退運転制御部１１２は、キャリア周波数制御量が最大値となっていない場合、フローチャートを終了し、再び最初から各縮退運転制御の状態を確認後、キャリア周波数制御を継続する。【００２７】
縮退運転制御部１１２は、キャリア周波数制御量が最大値となっている場合、第２ステップとして、縮退運転制御２、すなわち要素Ｂとして設定したファンの回転数制御を実行する（Ｓ３０５）。縮退運転制御部１１２は、例えば、冷却ファンの回転数を３０００ｒｐｍで制御している場合、冷却ファンの回転数の増大を始める。縮退運転制御部１１２は、温度異常が解除されない場合、例えば寿命の低下または騒音の増大を制限値として設定された最大制御量の４０００ｒｐｍまで増大させる。【００２８】
縮退運転制御部１１２は、縮退運転制御２の冷却ファンの回転数制御量が最大値でないことを判断する（Ｓ３０６）。縮退運転制御部１１２は、冷却ファンの回転数制御量が最大値となっていない場合、フローチャートを終了し、再び最初から各縮退運転制御の状態を確認後、Ｓ３０２において冷却ファンの回転数制御中と判断し、キャリア周波数制御を行ったまま、縮退運転制御２、すなわちファンの回転数制御を実行する（Ｓ３０５）。【００２９】
縮退運転制御部１１２は、ファンの回転数制御量が最大値となっている場合、第３ステップとして、縮退運転制御３、すなわち要素Ａとして設定した出力周波数制御を実行する（Ｓ３０７）。縮退運転制御部１１２は、例えば、交流電動機への出力周波数制御を４０Ｈｚで制御している場合、出力周波数の低減を始める。縮退運転制御部１１２は、温度異常が解除されない場合、例えば回転数の低下が許容される値で設定された制限値である最大制御量の１０Ｈｚまで低減させる。【００３０】
なお、図３では、最大３つの温度制御要素を制御する様子を示しているが、温度制御要素が増えても順々に温度制御要素を制御していくことで、さらに温度低減効果が得られる。また、縮退運転制御部１１２は、縮退運転制御３が最大値となっている場合、電力変換装置１００が全ての温度制御要素の制御量を最大値に保持した状態で可能な限り運転を継続するか、あるいは、温度制御範囲異常として電力変換装置１００の破損を防ぐためにエラーを出力して保護動作、例えば運転を遮断する等の処理をするかは、ユーザによって予め設定される。【００３１】
また、縮退運転制御部１１２は、縮退運転中、例えば動作部である表示パネルや信号出力によってユーザに縮退運転中であることを知らせる。【００３２】
また、例えば温度制御要素がキャリア周波数である場合、温度を低減するための制御としては、キャリア周波数を低減することであるが、前記制御量の最大値とは、例えば、技術的な理由により設定されたキャリア周波数の下限リミット値のようにあらかじめ決められた値、また例えば騒音などの理由により顧客が操作部１１３から設定するキャリア周波数の下限のリミット値等であり、値としては下限であるが、制御量としては最大値であるという意味である。また、制御量の最大値は、制御量の変化する範囲の最大値としても良い。また、制御量の変化範囲の設定値としても良い。【００３３】
なお、温度変化が異常とは、温度の絶対値以外にも、温度の変化幅や変化サイクルも含む。また、温度制御要素の制御は、温度が低くなるように、または、温度の変化幅が小さくなるように、または温度の変化サイクルが長くなるように変化させることでも良い。【００３４】
図４は、温度検出部１０７で検出された温度が温度異常判定値を超え、温度異常が検出された場合に、図３のフローチャートに従い縮退運転を行う場合のタイムチャートである。図４において、温度検出部１０７からの温度の異常を検知した場合、縮退運転制御部１１２は、優先度の最も高い要素Ｃに対し縮退運転制御１を実行し、縮退運転制御１の制御量が最大値に達した場合、要素Ｃの制御量を最大値に保持した状態で、縮退運転制御２を実行する。また、縮退運転制御部１１２は、縮退運転制御２の要素Ｂの制御量が最大値に達した場合、同様の手順で要素Ａに対し縮退運転制御３を実行する。【００３５】
図５は、温度検出部１０７で検出された温度が温度異常判定値を超え、縮退運転制御１、縮退運転制御２、縮退運転制御３が共に実行されている状態において、温度検出部１０７で検出された温度が異常判定解除値を下回り、温度異常が解除された場合のタイムチャートである。図５において、縮退運転制御部１１２は、温度が異常判定解除値を下回ると、縮退運転制御３において要素Ａの制御量を最大値から温度に応じて下げていく。縮退運転制御部１１２は、要素Ａの制御量が通常値に戻り、縮退運転制御３が解除された場合、縮退運転制御２において要素Ｂの制御量を最大値から温度に応じて下げていく。縮退運転制御部１１２は、要素Ｂの制御量が通常時に戻った場合、縮退運転制御１において要素Ｃの制御量を最大値から温度に応じて下げていく。【００３６】
なお、温度制御要素のその他の例としては、例えば、交流電動機１０５への出力電流の制御や出力電圧の制御などがある。温度制御要素として出力電流を設定した場合、縮退運転制御部１１２は、例えば、１５Ａで制限している出力電流値の低減を始め、温度異常が解除されるまで、トルクを制限してもよい最大の制限値である１０Ａまで低減させる。また、温度制御要素として出力電圧を設定した場合、縮退運転制御部１１２は、例えば、５０Ｖで制御している出力電圧値の低減を始め、温度異常が解除されるまで、トルクを制限してもよい最大の制限値である３０Ｖまで低減させる。【００３７】
以上のように、本実施例は、電力変換装置の温度低減方法であって、複数の温度制御要素に対して縮退運転制御を行う優先度を設定し、電力変換装置の温度が温度異常判定値より高い場合、設定された優先度に従って最も優先度の高い温度制御要素の縮退運転制御を実行し、最も優先度の高い温度制御要素の制御量が最大値に達した場合、制御要素の制御量を最大値に保持したまま、次に優先度の高い温度制御要素の縮退運転制御を行うように構成する。【００３８】
また、電力変換装置であって、交流電源の交流電力を直流電力に変換する順変換器と、直流電力を平滑化する直流平滑回路と、平滑化された直流電力を交流電力に逆変換する逆変換器と、逆変換器を冷却する冷却部と、逆変換器へＰＷＭ指令を出力し冷却部へ駆動電圧を出力する制御部と、電力変換装置の温度を検出する温度検出部と、複数の温度制御要素を縮退運転制御する縮退運転制御部と、複数の温度制御要素の縮退運転制御を行う優先度を設定する操作部と、を有し、縮退運転制御部は、温度検出部が温度の異常を検出した場合に、設定された優先度に従って最も優先度の高い温度制御要素の縮退運転制御を実行し、最も優先度の高い温度制御要素の制御量が最大値に達した場合、制御要素の制御量を最大値に保持したまま、次に優先度の高い温度制御要素の縮退運転制御を行うように構成する。【００３９】
これにより、損失に影響を与える温度制御要素を効果的に制御することにより、ユーザシステムの機能を可能な限り持続させる方法を提供することができる。
【実施例２】
【００４０】
本実施例では、本実施例における電力変換装置の温度制御要素の設定に関して説明する。【００４１】
図６は、電力変換装置の操作部での、温度制御要素の縮退運転制御の優先度設定画面を示した図である。例えば、電力変換装置の操作部は、タッチ入力式表示パネルであって、電力変換装置への各種設定を入力設定可能である。図６は、表示する機能設定画面を示している。図６において、本実施例では、温度の異常が検知された場合、種々の温度制御要素に対する縮退運転制御の優先度を設定する。本実施例では、温度制御要素として、キャリア周波数、冷却ファン回転数、出力周波数、出力電流値の制限値を例に説明する。【００４２】
図６に示すように、縮退運転制御の優先度設定画面では、温度制御要素の項目入力画面と、縮退運転制御の優先度の入力設定画面を有する。そして、これらの入力画面に項目または設定値を入力することで、種々の温度制御要素に対する縮退運転制御の優先度を設定する。なお、図６に示す、出力電流制限値のように、縮退運転をしない温度制御要素の場合は、優先度設定なしとして、縮退運転制御を行なわないように設定できる。【００４３】
なお、これらの入力はプルダウンにより選択するようになっていても良い。また、これらの入力はユーザが設定するが、予めデフォルトで設定されていても良い。【００４４】
図７は、電力変換装置の操作部での、温度制御要素の設定としての、縮退運転制御の制御量最大値設定画面を示した図である。図７において、本実施例では、温度の異常が検知された場合の縮退運転制御の制御量の最大値を設定する。【００４５】
図７に示すように、縮退運転制御の制御量最大値設定画面では、温度制御要素の項目入力画面と、制御量最大値の入力設定画面を有する。そして、これらの入力画面に項目または設定値を入力することで、種々の温度制御要素に対する縮退運転制御の制御量最大値を設定する。なお、制御量最大値は、その絶対値を入力しても良いし、制御量の変化範囲を設定しても良い。【００４６】
なお、これらの入力はプルダウンにより選択するようになっていても良い。また、これらの入力はユーザが設定するが、予めデフォルトで設定されていても良い。【００４７】
以上のように、本実施例は、電力変換装置であって、交流電源の交流電力を直流電力に変換する順変換器と、直流電力を平滑化する直流平滑回路と、平滑化された直流電力を交流電力に逆変換する逆変換器と、逆変換器を冷却する冷却部と、逆変換器へＰＷＭ指令を出力し冷却部へ駆動電圧を出力する制御部と、電力変換装置の温度を検出する温度検出部と、電力変換装置への各種設定を入力設定可能な操作部と、を有し、操作部は、温度制御要素の項目入力画面と、温度制御要素の縮退運転制御の優先度の入力設定画面を有するように構成する。【００４８】
また、操作部は、温度制御要素の制御量最大値の入力設定画面を有するように構成する。【００４９】
これにより、損失に影響を与える温度制御要素を効果的に制御することが可能となる。
【実施例３】
【００５０】
本実施例では、本実施例における電力変換装置の温度異常時エラー保護選択設定画面に関して説明する。【００５１】
図８は、縮退運転制御の制御量が最大値となっている場合、電力変換装置が全ての温度制御要素の制御量を最大値に保持した状態で可能な限り運転を継続するか、あるいは、温度制御範囲異常として電力変換装置の破損を防ぐためにエラーを出力して保護動作をするかを、ユーザによって設定する画面である。【００５２】
図８に示すように、温度異常時エラー保護選択設定画面では、エラー保護をする／しないを選択する画面を有する。そして、これらの画面から選択することで、温度異常時のエラー保護を設定できる。なお、図８では、エラー保護をする場合を選択した状態を示しており、その選択項目の色を変えているが、選択設定状態が判別できればどのような表示でも構わない。また、図８では、エラー保護をする／しないを選択する画面の下に、現在の、縮退運転制御の温度制御要素と優先度を表示して、温度異常時のエラー保護設定を判断する際の条件材料を提示するようにしても良い。【００５３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【００５４】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。【００５５】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５６】
１００…電力変換装置、１０１…三相交流電源、１０２…直流変換部、１０３…直流平滑部、１０４…交流変換部、１０５…交流電動機、１０６…電流検出器、１０７…温度検出部、１０８…冷却ファン、１１１…制御部、１１２…縮退運転制御部、１１３…操作部
【図１】
2017009913.tif 000003
【図２】
2017009913.tif 000004
【図３】
2017009913.tif 000005
【図４】
2017009913.tif 000006
【図５】
2017009913.tif 000007
【図６】
2017009913.tif 000008
【図７】
2017009913.tif 000009
【図８】
2017009913.tif 000010
【手続補正書】
【提出日】平成29年12月27日(2017.12.27)
【手続補正１】
【補正対象書類名】明細書
【補正対象項目名】００１３
【補正方法】変更
【補正の内容】
【００１３】
直流変換部１０２は、例えばダイオードで構成された直流変換回路やＩＧＢＴとフライホイールダイオードを用いた直流変換回路で構成され、三相交流電源１０１から入力された交流電圧を、直流電圧に変換し、直流平滑部１０３に出力する。図１では、ダイオードで構成された直流変換部を示している。
【手続補正２】
【補正対象書類名】明細書
【補正対象項目名】００１４
【補正方法】変更
【補正の内容】
【００１４】
直流平滑部１０３は、直流変換部１０２から入力された直流電圧を平滑化し、交流変換部１０４に直流電圧を出力する。例えば発電機の出力が直流電圧の場合、直流平滑部１０３は、直流変換部１０２を介さず、直接発電機から直流電圧を入力されても構わない。
【手続補正３】
【補正対象書類名】明細書
【補正対象項目名】００１５
【補正方法】変更
【補正の内容】
【００１５】
交流変換部１０４は、例えばＩＧＢＴとフライホイールダイオードを用いた交流変換回路で構成され、直流平滑部１０３の直流電圧と、制御部１１１のＰＷＭ指令を入力とし、直流電圧を交流電圧に変換し、交流電動機１０５に出力する。
【手続補正４】
【補正対象書類名】明細書
【補正対象項目名】００２０
【補正方法】変更
【補正の内容】
【００２０】
縮退運転制御部１１２は、電流検出部１０６の電流情報、温度検出部１０７の温度信号、冷却ファン１０８からの回転数情報、制御部１１１からのキャリア周波数、交流電動機１０５への出力周波数、操作部１１３が出力した温度制御要素の優先度、制御量の最大値と各温度制御要素の縮退運転制御の選択設定を入力とし、縮退運転制御対象となる温度制御要素と、その温度制御要素の制御量を制御部１１１へ出力する。なお、縮退運転とは、パフォーマンスを落として安全な状態で運転を行うことを言う。また、縮退運転制御部１１２への設定は、例えば電力変換装置に接続されたＰＣとの通信によって設定されてもよい。
【手続補正５】
【補正対象書類名】明細書
【補正対象項目名】００３５
【補正方法】変更
【補正の内容】
【００３５】
図５は、温度検出部１０７で検出された温度が温度異常判定値を超え、縮退運転制御１、縮退運転制御２、縮退運転制御３が共に実行されている状態において、温度検出部１０７で検出された温度が異常判定解除値を下回り、温度異常が解除された場合のタイムチャートである。図５において、縮退運転制御部１１２は、温度が異常判定解除値を下回ると、縮退運転制御３において要素Ａの制御量を最大値から温度に応じて下げていく。縮退運転制御部１１２は、要素Ａの制御量が通常値に戻り、縮退運転制御３が解除された場合、縮退運転制御２において要素Ｂの制御量を最大値から温度に応じて下げていく。縮退運転制御部１１２は、要素Ｂの制御量が通常値に戻った場合、縮退運転制御１において要素Ｃの制御量を最大値から温度に応じて下げていく。
【手続補正６】
【補正対象書類名】特許請求の範囲
【補正対象項目名】全文
【補正方法】変更
【補正の内容】
【特許請求の範囲】
【請求項１】
電力変換装置の温度低減方法であって、
複数の温度制御要素に対して縮退運転制御を行う優先度を設定し、
前記電力変換装置の温度が温度異常判定値より高い場合、
前記設定された優先度に従って最も優先度の高い温度制御要素の縮退運転制御を実行し、前記最も優先度の高い温度制御要素の制御量が最大値に達した場合、前記温度制御要素の制御量を最大値に保持したまま、次に優先度の高い温度制御要素の縮退運転制御を行うことを特徴とする電力変換装置の温度低減方法。
【請求項２】
請求項１に記載の電力変換装置の温度低減方法であって、
前記複数の温度制御要素の制御量の最大値は、ユーザが設定可能であることを特徴とする電力変換装置の温度低減方法。
【請求項３】
請求項２に記載の電力変換装置の温度低減方法であって、
前記複数の温度制御要素の制御量の最大値は、前記複数の温度制御要素の制御量の変化範囲の設定値、または、前記複数の温度制御要素の制御量の変化範囲の最大値であることを特徴とする電力変換装置の温度低減方法。
【請求項４】
請求項１に記載の電力変換装置の温度低減方法であって、
前記縮退運転制御を行う温度制御要素の優先度をユーザが設定可能であることを特徴とする電力変換装置の温度低減方法。
【請求項５】
請求項１に記載の電力変換装置の温度低減方法であって、
前記複数の温度制御要素を前記最大値まで縮退運転制御した場合に、エラー保護を行うか、運転を継続させるかを選択設定可能であることを特徴とする電力変換装置の温度低減方法。
【請求項６】
電力変換装置であって、
交流電源の交流電力を直流電力に変換する順変換器と、
前記直流電力を平滑化する直流平滑回路と、
前記平滑化された直流電力を交流電力に逆変換する逆変換器と、
前記逆変換器を冷却する冷却部と、
前記逆変換器へＰＷＭ指令を出力し前記冷却部へ駆動電圧を出力する制御部と、
前記電力変換装置の温度を検出する温度検出部と、
複数の温度制御要素を縮退運転制御する縮退運転制御部と、
前記複数の温度制御要素の縮退運転制御を行う優先度を設定する操作部と、
を有し、
前記縮退運転制御部は、前記温度検出部が温度の異常を検出した場合に、前記設定された優先度に従って最も優先度の高い温度制御要素の縮退運転制御を実行し、前記最も優先度の高い温度制御要素の制御量が最大値に達した場合、前記温度制御要素の制御量を最大値に保持したまま、次に優先度の高い温度制御要素の縮退運転制御を行うことを特徴とする電力変換装置。
【請求項７】
請求項６に記載の電力変換装置であって、
前記複数の温度制御要素の制御量の最大値は、前記操作部で設定可能なことを特徴とする電力変換装置。
【請求項８】
請求項７に記載の電力変換装置であって、
前記複数の温度制御要素の制御量の最大値は、前記複数の温度制御要素の制御量の変化範囲の設定値、または、前記複数の温度制御要素の制御量の変化範囲の最大値であることを特徴とする電力変換装置。
【請求項９】
請求項６に記載の電力変換装置であって、
前記複数の温度制御要素を前記最大値まで縮退運転制御した場合に、エラー保護を行うか、運転を継続させるかを前記操作部で選択設定可能であることを特徴とする電力変換装置。
【請求項１０】
電力変換装置であって、
交流電源の交流電力を直流電力に変換する順変換器と、
前記直流電力を平滑化する直流平滑回路と、
前記平滑化された直流電力を交流電力に逆変換する逆変換器と、
前記逆変換器を冷却する冷却部と、
前記逆変換器へＰＷＭ指令を出力し前記冷却部へ駆動電圧を出力する制御部と、
前記電力変換装置の温度を検出する温度検出部と、
前記電力変換装置への各種設定を入力設定可能な操作部と、
を有し、
前記操作部は、温度制御要素の項目入力画面と、該温度制御要素の縮退運転制御の優先度の入力設定画面を有することを特徴とする電力変換装置。
【請求項１１】
請求項１０に記載の電力変換装置であって、
前記操作部は、前記温度制御要素の制御量最大値の入力設定画面を有することを特徴とする電力変換装置。
【請求項１２】
請求項１０に記載の電力変換装置であって、
前記操作部は、温度異常時のエラー保護を行うか否かの入力設定画面を有することを特徴とする電力変換装置。
【国際調査報告】
2017009913.tif 000011
2017009913.tif 000012